(57)【要約】      （修正有）【課題】選択スイッチの操作と選択スイッチの操作によって選択されるボタンまたはアイコンとの間の対応関係を容易に認識することができるナビゲーション装置を提供する。【解決手段】メニュー画面から５０音入力画面３０を表示モニタに表示させることができる。３１は文字入力ボタン群、３２は入力文字表示欄である。「ざまし」と入力した後に、「く」の５０音ボタンが選択されている状態で、選択された５０音ボタン「く」に隣接する８方向の５０音ボタンの中で表示されていない５０音ボタンがある場合、選択された５０音ボタンの回りに８方向マーク３３ａ〜３３ｈが表示される。図示しない８方向ボタンを操作することによって「く」の５０音ボタンから選択が移る５０音ボタンと、その５０音ボタンに選択を移すために操作する８方向ボタンに対応する８方向マーク３３ａ〜３３ｈとは、線３４ｂ，３４ｅ，３４ｆ，３４ｈで結ばれる。【選択図】図４
2011080791.tif 000002
【特許請求の範囲】
【請求項１】
１または複数の被選択対象を表示する表示器と、
前記被選択対象を特定する選択スイッチの操作方向を検出する操作方向検出手段と、
前記操作方向検出手段によって検出された操作方向に基づいて、現に選択されている被選択対象と、次に選択される被選択対象との間の対応関係を前記表示器に表示させる対応関係表示制御手段とを備えることを特徴とするナビゲーション装置。
【請求項２】
請求項１に記載のナビゲーション装置において、
前記対応関係表示制御手段は、選択された被選択対象の回りに前記選択スイッチの操作方向を表示したマークを表示させ、それぞれの操作方向に対応するマークとそれぞれの操作方向によって選択される被選択対象とを対応付ける線を表示させることを特徴とするナビゲーション装置。
【請求項３】
請求項１に記載のナビゲーション装置において、
前記対応関係表示制御手段は、選択された被選択対象の回りに前記選択スイッチの操作方向を表示したマークを表示させ、それぞれの操作方向に対応するマークの表示色または背景パターンとそれぞれの操作方向によって選択される被選択対象の表示色または背景パターンとを同一にすることを特徴とするナビゲーション装置。
【請求項４】
請求項１に記載のナビゲーション装置において、
前記対応関係表示制御手段は、前記選択スイッチの操作方向を表示した矢印を、それぞれの操作方向によって選択される被選択対象に重ねて表示させることを特徴とするナビゲーション装置。
【発明の詳細な説明】
【技術分野】
【０００１】
本発明は、表示モニタに表示されたボタンやアイコンを選択して情報を入力するナビゲーション装置に関する。
【背景技術】
【０００２】
検索を行うための文字を入力すると、入力された文字に続く候補文字を絞り込むために、所定の５０音のみの入力キーが表示される５０音入力画面を備えたナビゲーション装置が従来技術として知られている（たとえば、特許文献１）。
【先行技術文献】
【特許文献】
【０００３】
【特許文献１】特開２００６−１６４２４２号公報
【発明の概要】
【発明が解決しようとする課題】
【０００４】
特許文献１に開示されているような従来のナビゲーション装置では、５０音文字を操作スイッチで入力する場合、操作スイッチの操作と、操作スイッチの操作によって選択される入力キーとの間の対応関係が分からなくなる場合がある。
【課題を解決するための手段】
【０００５】
請求項１の発明のナビゲーション装置は、１または複数の被選択対象を表示する表示器と、被選択対象を特定する選択スイッチの操作方向を検出する操作方向検出手段と、操作方向検出手段によって検出された操作方向に基づいて、現に選択されている被選択対象と、次に選択される被選択対象との間の対応関係を表示器に表示させる対応関係表示制御手段とを備えることを特徴とする。
【発明の効果】
【０００６】
本発明によれば、選択スイッチの操作と選択スイッチの操作によって選択されるボタンまたはアイコンとの間の対応関係を容易に認識することができる。
【図面の簡単な説明】
【０００７】
【図１】本発明の実施形態のナビゲーション装置の構成を示すブロック図である。
【図２】８方向＆決定スイッチを説明するための図である。
【図３】５０音入力画面を説明するための図である。
【図４】「ざまし」と入力した後に表示モニタに表示される５０音入力画面を説明するための図である。
【図５】本発明の実施形態における５０音ボタン表示処理を説明するためのフローチャートである。
【図６】８方向ボタンと５０音ボタンとの間の対応関係を説明するための図である。
【図７】８方向マークと５０音ボタンとの間の対応関係を表す対応関係表示手段の変形例を説明するための図である。
【図８】８方向マークとの間の対応関係を示す対象がアイコンである場合の変形例を説明するための図である。
【発明を実施するための形態】
【０００８】
図１は、本発明の実施形態によるナビゲーション装置１を示す。このナビゲーション装置１は、施設を検索するときの条件を５０音文字で入力することができる。ナビゲーション装置１は、制御回路１１、ＲＯＭ１２、ＲＡＭ１３、現在地検出装置１４、画像メモリ１５、表示モニタ１６、スピーカ１７、入力装置１８、およびディスクドライブ１９を有している。ディスクドライブ１９には、地図データや施設検索用データが記憶されたＤＶＤ−ＲＯＭ１１０が装填されている。
【０００９】
制御回路１１は、マイクロプロセッサ及びその周辺回路からなり、ＲＡＭ１３を作業エリアとしてＲＯＭ１２に格納された制御プログラムを実行して各種の制御を行う。制御回路１１は、ＤＶＤ−ＲＯＭ１１０に記憶された地図データに基づいて所定の経路探索処理を行う。そして、その処理結果を推奨経路として表示モニタ１６に表示する。
【００１０】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは車両の進行方向を検出し、車速センサ１４ｂは車速を検出し、ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、現在地検出装置１４により検出された車両の現在地を自車位置マークとして地図上に表示する。
【００１１】
画像メモリ１５は、表示モニタ１６に表示するための画像データを格納する。この画像データは道路地図描画用データや各種の図形データからなり、それらはＤＶＤ−ＲＯＭ１１０に記憶された地図データに基づいて、適宜生成される。ナビゲーション装置１は、このようにして生成された画像データを用いることによって地図表示などを行うことができる。
【００１２】
ディスクドライブ１９は、ＤＶＤ−ＲＯＭ１１０から地図データを読み出す。地図データは、地図表示用データ、経路探索用データ、施設検索用データ、施設データなどを含む。地図表示用データおよび経路探索用データには、地図データに格納されている道路のリンク情報およびノード情報が含まれている。地図表示用データは、広域から詳細まで複数の縮尺の地図データを有している。これにより、ナビゲーション装置１は、ユーザの要求にしたがって表示されている地図の縮尺を変更することができる。なお、ＤＶＤ−ＲＯＭ１１０以外の他の記録メディア、たとえばＣＤ−ＲＯＭやハードディスクなどより地図データを読み出してもよい。
【００１３】
表示モニタ１６は、地図データなどの各種情報に基づいて、現在地付近の道路地図などの各種情報を画面表示としてユーザに提供する。スピーカ１７は、各種入力操作をユーザに指示したり、経路誘導したりするための音声を出力する。
【００１４】
入力装置１８は、ユーザが各種コマンドの設定などのために操作される操作キーを有し、操作パネル上のボタンスイッチやパネル周囲の選択スイッチなどによって実現される。入力装置１８は、図２に示す８方向＆決定スイッチ２０を有する。８方向＆決定スイッチ２０は、８方向ボタン２１ａ〜２１ｈ、決定ボタン２２およびロータリスイッチ２３から構成される。８方向ボタン２１ａ〜２１ｈは、三角マークが付された４つのボタン２１ａ，２１ｃ，２１ｅ，２１ｇと、これら４つのボタン２１ａ，２１ｃ，２１ｅ，２１ｇに挟まれて配置されている４つのボタン２１ｂ，２１ｄ，２１ｆ，２１ｈである。８方向ボタン２１ａ〜２１ｈを操作することにより、表示モニタ１６に表示されたボタンやメニューを選択することができる。
【００１５】
ユーザが８方向ボタン２１ａを押圧すると、選択されているボタンの上に表示されているボタンが、選択されているボタンに代えて選択される。８方向ボタン２１ｂを押圧すると、選択されているボタンの右斜め上に表示されているボタンが、選択されているボタンに代えて選択される。８方向ボタン２１ｃを押圧すると、選択されているボタンの右に表示されているボタンが、選択されているボタンに代えて選択される。８方向ボタン２１ｄを押圧すると、選択されているボタンの右斜め下に表示されているボタンが、選択されているボタンに代えて選択される。
【００１６】
８方向ボタン２１ｅを押圧すると、選択されているボタンの下に表示されているボタンが、選択されているボタンに代えて選択される。８方向ボタン２１ｆを押圧すると、選択されているボタンの左斜め下に表示されているボタンが、選択されているボタンに代えて選択される。８方向ボタン２１ｆを押圧すると、選択されているボタンの左に表示されているボタンが、選択されているボタンに代えて選択される。８方向ボタン２１ｇを押圧すると、選択されているボタンの左斜め上に表示されているボタンが、選択されているボタンに代えて選択される。
【００１７】
決定ボタン２２は、８方向ボタン２１ａ〜２１ｈの操作により選択されたボタンやメニューを入力するためのボタンである。ロータリスイッチ２３は、８方向＆決定スイッチ２０の外周部に配置されたリング状の操作部材であり、矢印Ｒ方向に回動操作することができるスイッチである。
【００１８】
ユーザは、表示モニタ１６の表示画面の指示やスピーカ１７からの音声指示にしたがって入力装置１８を操作することにより、目的地を設定する。
【００１９】
目的地がユーザによって設定されると、現在地に経路探索の開始点が、目的地に経路探索の終了点が設定される。そして、開始点から終了点までの推奨経路が経路探索用データを用いて探索される。このようにして求められた経路（以下、推奨経路という）は、表示形態、たとえば表示色などを変えることによって、ほかの道路とは区別して表示モニタ１６に表示される。これにより、ユーザは地図上の推奨経路を画面上で認識することができる。また、ナビゲーション装置１は、推奨経路にしたがって車両が走行できるように、ユーザに対して画像や音声などによる方向指示を行い、車両を経路誘導する。
【００２０】
次に、図３および図４を参照して本発明の実施形態における５０音仮名の入力操作について説明する。ユーザは、施設検索の検索条件として住所を入力しようとしているものとして説明する。
【００２１】
図３は、５０音入力画面３０を説明するための図である。５０音入力画面３０は、検索条件を仮名で入力するための画面である。ユーザは、不図示の所定のメニュー画面から５０音入力画面３０を表示モニタ１６に表示させることができる。５０音入力画面３０には、文字入力ボタン群３１、入力文字表示欄３２が表示される。
【００２２】
文字入力ボタン群３１は、複数の５０音ボタンからなる。図２に示す８方向ボタン２１ａ〜２１ｈによって５０音ボタンが選択された後、決定ボタン２２が押圧されると、選択された５０音ボタンに該当する仮名が制御回路１１に入力される。最初は、全ての５０音仮名の５０音ボタンが表示されるが、５０音仮名が入力されると、入力された文字に続く５０音仮名の５０音ボタンのみが表示される。図２の８方向＆決定スイッチ２０の操作によって５０音ボタンが選択されると、選択された５０音ボタンの表示の濃淡が反転する。図３では、５０音仮名「ぬ」の５０音ボタンが選択されている。
【００２３】
入力文字表示欄３２は、文字入力ボタン群３１により入力された文字を表示するための表示欄である。
【００２４】
図４は、「ざまし」と入力した後に表示モニタ１６に表示される５０音入力画面３０を示す図である。「ざまし」の後に続く文字は、「いりや」、「くりはら」、「くりはらちゆうおう」、「こまつばら」、「さがみがおか」、「さがみの」、「ざま」、「そうぶだい」、「たつのだい」、「にしくりはら」、「ひがしはら」、「ひばりがおか」、「ひろのだい」、「みどりがおか」、「みなみくりはら」、「みようおう」および「よつや」のいずれかであるので、これらの最初の一文字である「い」、「く」、「こ」、「さ」、「そ」、「た」、「に」、「ひ」、「み」および「よ」の５０音ボタンのみが表示される。図４の５０音入力画面３０では、「く」の５０音ボタンが選択されている。
【００２５】
選択された５０音ボタンの隣接する８方向の５０音ボタンの中で表示されていない５０音ボタンがある場合、図４に示すように、選択された５０音ボタンの回りに８方向マーク３３ａ〜３３ｈが表示される。この８方向マーク３３ａ〜３３ｈは、８方向ボタン２１ａ〜２１ｈに対応するマークである。８方向マーク３３ａは８方向ボタン２１ａに対応し、８方向マーク３３ｂは８方向ボタン２１ｂに対応する。８方向マーク３３ｃは８方向ボタン２１ｃに対応し、８方向マーク３３ｄは８方向ボタン２１ｄに対応する。８方向マーク３３ｅは８方向ボタン２１ｅに対応し、８方向マーク３３ｆは８方向ボタン２１ｆに対応する。８方向マーク３３ｇは８方向ボタン２１ｇに対応し、８方向マーク３３ｈは８方向ボタン２１ｈに対応する。
【００２６】
図４に示すように、８方向ボタン２１ａ〜２１ｈを操作することによって「く」の５０音ボタンから選択が移る５０音ボタンと、その５０音ボタンに選択を移すために操作する８方向ボタン２１ａ〜２１ｈに対応する８方向マーク３３ａ〜３３ｈとは、線３４ｂ，３４ｅ，３４ｆ，３４ｈで結ばれる。
【００２７】
次に、本発明の実施形態における５０音ボタン表示処理について、図５のフローチャートを参照して説明する。図５の処理は、５０音入力画面３０（図３参照）が表示モニタ１６に表示されるとスタートするプログラムにより、制御回路１１において実行される。
【００２８】
ステップＳ１０１では、入力された５０音仮名に続く５０音仮名を検索する。ステップＳ１０２では、検索された５０音仮名の５０音ボタンのみを表示モニタ１６に表示する（図４参照）。ステップＳ１０３では、選択された５０音ボタンに隣接する８方向の５０音ボタンの中で表示されていない５０音ボタンがあるか否かを判定する。選択された５０音ボタンに隣接する８方向の５０音ボタンの中で表示されていない５０音ボタンがある場合はステップＳ１０３が肯定判定され、ステップＳ１０４へ進む。選択された５０音ボタンに隣接する８方向の５０音ボタンが全て表示されている場合はステップＳ１０３が否定判定され、ステップＳ１０７へ進む。
【００２９】
ステップＳ１０４では、８方向ボタン２１ａ〜２１ｈを操作することによって、選択されている５０音ボタンから選択が移る他の５０音ボタンと、その５０音ボタンに選択を移すために操作する８方向ボタン２１ａ〜２１ｈとの対応関係を算出する。
【００３０】
図６を参照して、８方向ボタン２１ａ〜２１ｈと５０音ボタンとの間の対応関係を説明する。図６（ａ），（ｂ）は、文字入力ボタン群４１の中で５０音ボタン４１ａが選択されているとき、８方向ボタン２１ｂを押圧すると選択が移動する５０音ボタンの算出を説明するための図である。５０音ボタンに表示されている番号は優先順位を示す番号であり、表示されている５０音ボタンの中で最も小さい番号の位置にある５０音ボタンが、８方向ボタン２１ｂが押圧されたときに選択される。このように、表示されている５０音ボタンの中で８方向ボタン２１ｂが押圧されると選択される５０音ボタンの優先順位は予め定められている。番号が表示されている５０音ボタンの位置に５０音ボタンが１つの表示されていない場合、８方向ボタン２１ｂを押圧しても、５０音ボタン４１ａから選択は移動しない。
【００３１】
図６（ｃ），（ｄ）は、文字入力ボタン群４１の中で５０音ボタン４１ａが選択されているとき、８方向ボタン２１ｃを押圧されたときに選択が移動する５０音ボタンの算出を説明するための図である。図６（ｂ）と同様に、５０音ボタンに表示されている番号は優先順位を示す番号であり、表示されている５０音ボタンの中で最も小さい番号の位置にある５０音ボタンが、８方向ボタン２１ｃが押圧されたときに選択される。
【００３２】
同様にして８方向ボタン２１ａ，２１ｄ〜２１ｈについても、８方向ボタン２１ａ，２１ｄ〜２１ｈと５０音ボタンとの間の対応関係が算出される。
【００３３】
図５のステップＳ１０５では、選択されている５０音ボタンに８方向マーク３３ａ〜３３ｈを表示する。ステップＳ１０６では、８方向マーク３３ａ〜３３ｈと、対応する５０音ボタンとを結ぶ線を表示する。
【００３４】
ステップＳ１０７では、図２に示す８方向＆決定スイッチ２０の決定ボタン２２が押圧されたか否かを判定する。決定ボタン２２が押圧された場合はステップＳ１０７が肯定判定され、ステップＳ１０８へ進む。決定ボタン２２が押圧されていない場合はステップＳ１０７が否定判定され、ステップＳ１０３に戻る。ステップＳ１０８では、選択された５０音ボタンに対応する５０音仮名を入力する。
【００３５】
ステップＳ１０９では、８方向マーク３３ａ〜３３ｈと５０音ボタンとを結ぶ線を消去する。ステップＳ１１０では、決定ボタン２２が押圧されたか否かを判定する。決定ボタン２２が押圧された場合はステップＳ１１０が肯定判定され、５０音ボタン表示処理を終了する。決定ボタン２２が押圧されていない場合はステップＳ１１０が否定判定され、ステップＳ１０１に戻る。
【００３６】
以上の実施形態におけるナビゲーション装置１は次のような作用効果を奏する。
（１）８方向ボタン２１ａ〜２１ｈの操作方向に基づいて、現に選択されている５０音ボタンと、次に選択される５０音ボタンとの間の対応関係を表示モニタ１６に表示するようにした。これにより、８方向ボタン２１ａ〜２１ｈの操作と８方向ボタン２１ａ〜２１ｈの操作によって選択される５０音ボタンとの間の対応関係を容易に認識することができる。
【００３７】
（２）選択された５０音ボタンの回りに８方向マーク３３ａ〜３３ｈを表示し、それぞれの操作方向に対応する８方向マーク３３ａ〜３３ｈと、それぞれの操作方向によって選択される５０音ボタンとを対応付ける線を表示するようにした。これにより、８方向ボタン２１ａ〜２１ｈの操作と８方向ボタン２１ａ〜２１ｈの操作によって選択される５０音ボタンとの対応関係を明確に認識することができる。
【００３８】
以上の実施形態のナビゲーション装置１を次のように変形することができる。
（１）ユーザが、８方向マーク３３ａ〜３３ｈと５０音ボタンとの間の対応関係を認識できれば、８方向マーク３３ａ〜３３ｈと５０音ボタンとの間の対応関係を表す対応関係表示手段は、８方向マーク３３ａ〜３３ｈと５０音ボタンとを線で結ぶことに限定されない。たとえば、図７（ａ）に示すように、８方向マーク３３ａ〜３３ｈと、その８方向マーク３３ａ〜３３ｈに対応する５０音ボタンとを同じ表示色や同じ背景パターンで表示するようにしてもよい。図７では、８方向マーク３３ｂと５０音ボタン３１ｂとは赤色で表示し、８方向マーク３３ｅと５０音ボタン３１ｅとはドットパターンで表示し、８方向マーク３３ｆと５０音ボタン３１ｆとは青色で表示し、８方向マーク３３ｇと５０音ボタン３１ｇとは黄色で表示している。
【００３９】
８方向マークとその８方向マークに対応する５０音ボタンとを破線で囲むことにより、ユーザが、８方向マークと５０音ボタンとの間の対応関係を認識できるようにしてもよい。また、図７（ｂ）に示すように、８方向マークを矢印３５ｂ，３５ｅ，３５ｆ，３５ｈで表示し、８方向マークに対応する５０音ボタンにその矢印（８方向マーク）３５ｂ，３５ｅ，３５ｆ，３５ｈを重ねて表示することにより、ユーザが、８方向マークと５０音ボタンとの間の対応関係を認識できるようにしてもよい。
【００４０】
（２）８方向マーク３３ａ〜３３ｈとの間の対応関係を示す対象は、ボタンまたはアイコンであれば５０音ボタンに限定されない。たとえば、図８に示すように、アイコンでもよい。図８に示すアイコンは、施設を示すアイコンである。アイコン５１ａが選択されており、アイコン５１の回りに８方向マーク３３ａ〜３３ｈが表示されている。８方向マーク３３ｂは、アイコン５１ｂに対応し、８方向マーク３３ｂとアイコン５１ｂとは線で結ばれている。８方向マーク３３ｃは、アイコン５１ｃに対応し、８方向マーク３３ｃとアイコン５１ｃとは線で結ばれている。８方向マーク３３ｄは、アイコン５１ｄに対応し、８方向マーク３３ｄとアイコン５１ｄとは線で結ばれている。
【００４１】
８方向マーク３３ｅは、アイコン５１ｅに対応し、８方向マーク３３ｅとアイコン５１ｅとは線で結ばれている。８方向マーク３３ｆは、アイコン５１ｆに対応し、８方向マーク３３ｆとアイコン５１ｆとは線で結ばれている。８方向マーク３３ｇは、アイコン５１ｇに対応し、８方向マーク３３ｇとアイコン５１ｇとは線で結ばれている。８方向マーク３３ｈは、アイコン５１ｈに対応し、８方向マーク３３ｈとアイコン５１ｈとは線で結ばれている。
【００４２】
また、８方向マーク３３ａ〜３３ｈとの間の対応関係を示す被選択対象は、５０音ボタンに限定されず、アルファベットを入力するためのアルファベット入力ボタンでもよい。
【００４３】
（３）５０音ボタンの選択を他の５０音ボタンに移動するためのスイッチは、タッチパネルなど５０音ボタンに直接選択するスイッチ以外のもの、つまり選択スイッチであれば、８方向＆決定スイッチ２０に限定されない。たとえば、ジョイスティックであってもよい。
【００４４】
実施形態と変形例の一つ、もしくは複数を組み合わせることも可能である。変形例同士をどのように組み合わせることも可能である。
【００４５】
以上の説明はあくまで一例であり、発明は、上記の実施形態に何ら限定されるものではない。
【符号の説明】
【００４６】
１  ナビゲーション装置
１１  制御回路
１６  表示モニタ
２１ａ〜２１ｈ  ８方向ボタン
２２  決定ボタン
３０  ５０音入力画面
３１  文字入力ボタン群
３１ｂ，３１ｅ，３１ｆ，３１ｈ  ５０音ボタン
３３ａ〜３３ｈ  ８方向マーク
【図１】
2011080791.tif 000003
【図２】
2011080791.tif 000004
【図３】
2011080791.tif 000005
【図４】
2011080791.tif 000006
【図５】
2011080791.tif 000007
【図６】
2011080791.tif 000008
【図７】
2011080791.tif 000009
【図８】
2011080791.tif 000010